(57)【要約】【課題】  組立てを短時間で容易に行い得るとともに、印刷やシールの貼着を確実に行い得る容器の包装体の提供。【解決手段】  最も内側の重ね合せ片２０に重ねられる押圧片３７を押えるよう容器Ｃを装着し、予め重ね合せられている重ね合せ片２０，２１の重ね合せ面の間に、まだ重ねていない重ね合せ片２２を差込むようにして容器Ｃを包装する包装体１。【選択図】  図１
2006123962.tif 000002
【特許請求の範囲】
【請求項１】
一枚のシート体から構成され、容器の上面に対向する上壁部と、容器の底面に対向する底壁部と、前記上壁部と底壁部とを上下に連続させるとともに容器の側面に対向する側壁部とを備えて容器を包装する包装体であって、
前記側壁部は、前記容器の外周方向に互いに間隔をあけて設けられた少なくとも三つの側壁片からなり、各側壁片の一方端部には前記上壁部または底壁部のうちの一方を構成する重ね合せ片が連設され、前記重ね合せ片のうち最も外側の重ね合せ片に、前記容器の上面または底面に押圧されて他の重ね合せ片に重なるとともに他の重ね合せ片を重ねた状態で最も内側の重ね合せ片に重ねられるよう折込まれる押圧片を有し、前記容器の上面または下面によって押圧片を押圧した状態で前記重ね合せ片のうちの一つを、既に重ね合されている重ね合せ片どうしの重ね合せ面の間に差込まれてなることを特徴とする容器の包装体。
【請求項２】
上壁部および底壁部が、六角形または八角形に形成され、押圧片は重ね合せ片の所定の一辺に対して直角な方向に延長して設けられ、重ね合せ片のうちの一個を他の重ね合せ片の重ね合せ面の間に差込む際に、該重ね合せ片が前記押圧片を回避するよう該重ね合せ片を有する側壁片を周方向側に捻って前記重ね合せ面の間に差込むことを特徴とする請求項１記載の容器の包装体。
【発明の詳細な説明】
【技術分野】
【０００１】
本発明は、容器を外装する容器の包装体に関する。
【背景技術】
【０００２】
一般に、デパートやコンビニエンスストアなどでは、例えば略円錐台状の容器に詰められた商品としての所定の食品（ゼリーやプリンなど）の見栄えを良くし、消費者に購買意欲を促進させることが必要である。このため、食品を単に容器に詰めた状態として販売するのではなく容器を装飾して販売する場合があり、従来から容器を装飾するよう包装する包装体がある。この包装体は、両側が開放された直方体の箱状に形成されており、消費者は包装体の開放部分から、容器や、その容器が透明である場合には容器内の食品を確認することができる。
【０００３】
上記包装体は、両側を開放した直方体の箱状であり、包装体はその展開状態で、容器の上面に当接する上壁部と、この上壁部に一体に設けられて容器の側面に対向する一対の側壁部と、これら側壁部に一体に設けられて容器の底部に当接する一対の底壁部とを有している。その組立てに際しては、上壁部に対して各側壁部を折り曲げ、各側壁部に対して底壁部を折り曲げ、底壁部どうしを重ねて接着したり、あるいは粘着テープを用いて固定したりしている。あるいは、一方の底壁部に凸片を設け、他方の底壁部に切込みを形成して、切込みに凸片を差込むことで底壁部どうしを重ねるといったことも考えられる。
【発明の開示】
【発明が解決しようとする課題】
【０００４】
しかしながら、底壁部どうしを重ねて接着し、あるいは粘着テープを用いて固定する場合では、その分だけ組立てのための手数や時間がかかる。また、切込みに凸片を差込む場合には、確実に底壁部どうしを重ね合せた状態に確保するためには、凸片の形状や切込みの長さの設定が難しい。さらに、一方の底壁部と他方の底壁部との重なり部分に底壁部の厚みに応じた段差が生じることになるため、底壁部への商品情報の印刷を確実に行うことや、商品情報を印刷したシールを確実に貼着することが難しいといった課題がある。
【０００５】
そこで本発明は、上記従来の課題に鑑み、組立てを容易に行い得るとともに、印刷やシールの貼着を確実に行い得る容器の包装体の提供を課題とする。
【課題を解決するための手段】
【０００６】
本発明の容器の包装体は、一枚のシート体から構成され、容器の上面に対向する上壁部と、容器の底面に対向する底壁部と、前記上壁部と底壁部とを上下に連続させるとともに容器の側面に対向する側壁部とを備え前記側壁部は、前記容器の外周方向に互いに間隔をあけて設けられた少なくとも三つの側壁片からなり、各側壁片の一方端部には前記上壁部または底壁部のうちの一方を構成する重ね合せ片が連設され、前記重ね合せ片のうち最も外側の重ね合せ片に、前記容器の上面または底面に押圧されて他の重ね合せ片に重なるとともに他の重ね合せ片を重ねた状態で最も内側の重ね合せ片に重ねられるよう折込まれる押圧片を有し、前記容器の上面または下面によって押圧片を押圧した状態で前記重ね合せ片のうちの一つを、既に重ね合されている重ね合せ片どうしの重ね合せ面の間に差込まれてなることを特徴としている。
【０００７】
上記構成によれば、最も内側の重ね合せ片に重ねられる押圧片を押えるよう容器を装着し、予め重ね合せられている重ね合せ片の重ね合せ面の間に、まだ重ねていない重ね合せ片を差込むようにして容器を包装することにより、接着剤や粘着テープを用いることなく、短時間で且つ容易に容器を包装することができるとともに、包装体は一枚のシート体からなるので、最も外側の重ね合せ片の表面も平面であり（段差がなく）、したがって、この部分に商品情報の印刷や、あるいは商品情報を印刷したシールを確実に貼着することができる。
【０００８】
本発明の容器の包装体は、上壁部および底壁部が、六角形または八角形に形成され、押圧片は重ね合せ片の所定の一辺に対して直角な方向に延長して設けられ、重ね合せ片のうちの一個を他の重ね合せ片の重ね合せ面の間に差込む際に、該重ね合せ片が前記押圧片を回避するよう該重ね合せ片を有する側壁片を周方向側に捻って重ね合せ面の間に差込むことを特徴としている。
【０００９】
このように、最後に重ね合せ面に差込む重ね合せ片を有する側壁片を周方向側に捻ることにより、押圧片を回避して簡単に重ね合せ片どうしを重ね合せることができ、且つ重ね合せ片どうしを重ね合せた後は、今度は押圧片が重ね合せ片の一部に係止して重ね合せ面の間から抜けにくくなるから、簡単な構成でもって装着された容器を確実に保持することができる。また、容器を包装体から取出す場合は、再び重ね合せ片を有する側壁片を周方向側に捻った状態で引くようにすることで、その側壁片に相当する領域部分が開放されるので、容易に容器を取出すことが可能となる。
【発明の効果】
【００１０】
本発明の容器の包装体は、一枚のシート体からなり、押圧片を押圧した状態で重ね合せ片のうちの一つを、既に重ね合されている重ね合せ片どうしの重ね合せ面の間に差込むようにして構成されているから、組立てを容易に行い得るとともに、印刷やシールの貼着を確実に行い得る。
【発明を実施するための最良の形態】
【００１１】
以下、本発明の実施形態に係る容器の包装体を図面に基づいて説明する。この包装体は、容器の一部のみを覆って容器やその内部に詰められた食品を観者（消費者）に確認できるようにしたもので、容器を含めた食品を装飾し、あるいは消費者が容器を直接手に持つことなく扱えるようにしたものである。図１は容器を仮想線で表した包装体の単体斜視図、図２は図１におけるＡ−Ａ線断面図、図３は包装体の展開図、図４は図３の展開図の第一側壁片および第二側壁片を折曲した状態の正面図、図５は組立て途中の上方からの単体斜視図、図６は組立て途中の下方からの斜視図、図７，図８は組立て途中を示す底面図、図９は組立て途中の状態を上下逆転させた方向からの斜視図である。
【００１２】
図１乃至図３に示すように、本発明の容器Ｃ（円錐台状に形成されている）の包装体１は側部の一部が開放された六角錐台形状を有し、厚手の紙からなる一枚のシート体２（「ブランク」ともいう）から構成されている。すなわちこのシート体２は、弾性を有している。包装体１は、容器Ｃの上面に対向して当接する上壁部３と、容器Ｃの底面に対向して当接する底壁部４と、上壁部３と底壁部４とを上下に連続させるとともに容器Ｃの側面５に対向する側壁部６とを備えている。
【００１３】
前記上壁部３は、平面視して正六角形に形成されている。包装体１は一枚のシート体２からなるから、上壁部３は当然平坦な形状となっている。前記側壁部６は、容器Ｃの外周方向に互いに間隔をあけて配設された第一側壁片１０，第二側壁片１１，第三側壁片１２から構成されている。これら第一側壁片１０，第二側壁片１１，第三側壁片１２の基端側（組立て後の上端部側に相当する）は、それぞれ上壁部３の一辺と同一の幅を有して、一辺置きごとに折れ目１５（三点鎖線で示している）を介して連設されている。
【００１４】
第一側壁片１０，第二側壁片１１，第三側壁片１２は、それぞれ先端側（組立て後の下端部側に相当する）ほど狭幅とされた台形に形成され、且つそれぞれ略同一形状に形成されている。第一側壁片１０，第二側壁片１１，第三側壁片１２は、それぞれ先端側に、第一側壁片１０，第二側壁片１１，第三側壁片１２の先端部と略同幅に設定された一辺を有して略正六角形、すなわち上壁部３と相似形状に形成された第一重ね合せ片２０，第二重ね合せ片２１，第三重ね合せ片２２を、折れ目１６を介して連設している。図３の展開図（この展開図は平面図であり、底面図は対称形状である）において、第一側壁片１０，第二側壁片１１，第三側壁片１２、第一重ね合せ片２０，第二重ね合せ片２１，第三重ね合せ片２２の中心軸線２５，２６，２７は、上壁部３の中心３０から６０°置きに周方向に離間して配置されている。なお、これら重ね合せ片２０，２１，２２の角部は円弧状に面取り３１が施されている。特に第一重ね合せ片２０の第三重ね合せ片２２側の隣の角部の面取り３２は他の面取り３１に比べて曲率の小さい円弧（径の大きい円弧）に設定されている。また、第二重ね合せ片２１の面積は第一重ね合せ片２０，第三重ね合せ片２２の面積に比べてわずかに大きく設定されている。
【００１５】
第一重ね合せ片２０，第二重ね合せ片２１，第三重ね合せ片２２は、第一側壁片１０，第二側壁片１１，第三側壁片１２の先端部と略同幅に設定された一辺を有した略正六角形に形成されているから、第二重ね合せ片２１の面積を第一重ね合せ片２０，第三重ね合せ片２２の面積に比べてわずかに大きく設定するためには、第二側壁片１１の幅を第一側壁片１０，第三側壁片１２に比べてわずかに大きく設定することも考えられるし、第一側壁片１０，第二側壁片１１，第三側壁片１２の先端部の幅を同一にして第二重ね合せ片２１の残りの辺の長さを第一重ね合せ片２０，第二重ね合せ片２２の一辺の長さに比べて長くするといったことでも可能である。
【００１６】
第一重ね合せ片２０，第三重ね合せ片２２それぞれの第三側壁片１２，第一側壁片１０側の一辺の長さ方向中心に円弧状の小突起３５，３６が連設されている。第二重ね合せ片２１の第二側壁片１１の中心軸線２６の延長上にある外側の一辺に、この一辺と同幅でさらに中心軸線２６上に延長される押圧片３７が、折れ目１７を介して連設されている。この押圧片３７は、中心軸線２６に沿う方向の長さＬが幅Ｂに比べて長い矩形に形成されている。折れ目１７上の中心に、前記小突起３５，３６が係合する小楕円孔３８が形成されている。すなわち小突起３５，３６は、後述のようにして包装体１を組立てた際に、小楕円孔３８に係合する一辺の中心に形成されている。なお、押圧片３７の長さＬは、第一重ね合せ片２０の中心軸線２５方向の長さに比べてわずかに短く設定されている。
【００１７】
第一側壁片１０，第二側壁片１１，第三側壁片１２は折れ目１５を介して上壁部３に対して折曲可能であり、第一重ね合せ片２０，第二重ね合せ片２１，第三重ね合せ片２２は折れ目１６を介して第一側壁片１０，第二側壁片１１，第三側壁片１２に対して折曲可能であり、押圧片３７は折れ目１７を介して第二重ね合せ片２１に対して折曲可能となっている。
【００１８】
次に、図３に示す展開図の状態から容器Ｃを装着するよう包装体１を組立てる手順を説明する。まず、図４に示すように、第一側壁片１０を折り目１５を介して下方に折曲げ、第一重ね合せ片２０を折り目１６を介して水平方向に折曲げる。続いて、同図仮想線で示すように、第二側壁片１１を折り目１５を介して下方に折曲げ、第二重ね合せ片２１を折り目１６を介して折曲げ、第一重ね合せ片２０の下方（外側）に重ね、図５に示すような包装体１の組立て途中体１Ａとする。
【００１９】
続いて、図５および図６に示すように、押圧片３７を折り目１７を介して内側へ折曲げてこれを第一重ね合せ片２０の上面へ折重ねる。このとき、折れ目１７上に形成した小楕円孔３８に小突起３５が係合することで、第二重ね合せ片２１と第一重ね合せ片２０とが位置ずれしにくくなる。そして、上記組立て途中体１Ａではまだ第三側壁片１２は折曲げていないから、組立て途中体１Ａの側方に大きな開放領域が存在していて、容器Ｃの開放領域から組立て途中体１Ａ内に上下を合わせて挿入することができる。このとき必要に応じて、例えば組立て作業者が指で第二重ね合せ片２１と押圧片３７とを上下に挟むようにすると、第二重ね合せ片２１、第一重ね合せ片２０および押圧片３７の重ね合せ状態を確保することができる。なお、第一側壁片１０，第二側壁片１１は、それぞれ先端側ほど狭幅とされた台形に形成されているから、第一側壁片１０，第二側壁片１１を上壁部３に対して折曲げ、第一重ね合せ片２０と第二重ね合せ片２１とを同心になるように重ねると、第一側壁片１０，第二側壁片１１はその中心軸線２５，２６の長さに応じて、また幅に応じて、図２に示すように上壁部３の一辺に対して直角ではない所定の傾斜角度θをもって傾斜することになる。
【００２０】
容器Ｃを組立て途中体１Ａに装着したら、続いて第三側壁片１２を上壁部３に対して折り目１５を介して折曲げ、さらに第三重ね合せ片２２を第三側壁片１２に対して折れ目１６を介して折曲げる。そして第三側壁片１２を折曲げた状態で、第一重ね合せ片２０と第二重ね合せ片２１との重ね合せ面２０ａ，２１ａ、すなわち第一重ね合せ片２０の下面と第二重ね合せ片２１の上面との間に差込むようにする。しかしこのとき、図７に示すように、単に第三側壁片１２を折り目１５を介して折曲げ、第三重ね合せ片２２を折れ目１６を介して折曲げた状態で重ね合せ面２０ａ，２１ａの間に差込もうとすると、押圧片３７の折り目１７部分が第三重ね合せ片２２の一辺に当ってしまい、このままの状態では第三重ね合せ片２２を重ね合せ面２０ａ，２１ａの間に差込めない。
【００２１】
そこで、図８および図９に示すように、第三重ね合せ片２２が押圧片３７を回避するよう第三重ね合せ片２２を有する第三側壁片１２を周方向側、すなわちに押圧片３７の折り目１７部分のある反対側に捻るようにする。こうすることによって第三重ね合せ片２２を押圧片３７の折り目１７から回避させる（逃がす）ことで、第三重ね合せ片２２を重ね合せ面２０ａ，２１ａの間に容易に差込むことができる。特に、第一重ね合せ片２０における開放側に位置する角部の面取り３２の曲率は小さく設定しており、第二重ね合せ片２１の面積は第一重ね合せ片２０の面積に比べて大きいから、図５に示すように、第一重ね合せ片２０と第二重ね合せ片２１の重ね合せ面２０ａ，２１ａの開放側に段差が生じている。したがって、第三重ね合せ片２２を重ね合せ面２０ａ，２１ａに差込む場合、第三重ね合せ片２２の隅部で第二重ね合せ片２１を下方に押圧するよう加圧することで、重ね合せ面２０ａ，２１ａの隙間が大きくなり、差込み作業をいっそう容易に行い得る。さらに、第三重ね合せ片２２の隅部のうち、特に重ね合せ面２０ａ，２１ａに差込もうとする先端側の面取り３１の両隣の隅部の面取り３１（３１ａ）の曲率を小さく設定しておくことにより、この面取り３１（３１ａ）によって第一重ね合せ片２０の折れ目１６、第二重ね合せ片２１の折れ目１７に対して第三重ね合せ片２２が円滑に案内されて差込易くなる。第三重ね合せ片２２を重ね合せ面２０ａ，２１ａの間に差込んだ後は、作業者が第三側壁片１２を把持してこれをわずかに押圧片３７側にずらすようにすると、第三側壁片１２の捻り状態が復元され、第一重ね合せ片２０、第二重ね合せ片２１および第三重ね合せ片２２が同心に配置されるようになり、第一重ね合せ片２０、第二重ね合せ片２１、および第三重ね合せ片２２による底壁部４が形成される。
【００２２】
このように、組立て途中体１Ａにおいて、図５に示すようにまだ重ね合せていない重ね合せ片（この場合、第三重ね合せ片２２）を既に重ね合せている重ね合せ片（この場合、第一重ね合せ片２０、第二重ね合せ片２１）の重ね合せ面の差込側（２０Ａ）から差込む際、押圧片の折れ目が差込側の隣にある場合は、これから重ね合せようとする重ね合せ片を有する側壁片を捻ることで、容易に重ね合せることができる。
【００２３】
また、第一重ね合せ片２０、第二重ね合せ片２１および第三重ね合せ片２２が同心となることにより、第三側壁片１２を把持して第三重ね合せ片２２を引抜こうとしても、今度は第三重ね合せ片２２の一辺が押圧片３７の折り目１７部分に係止することになるので、抜けにくくなる。さらに、第三重ね合せ片２２を重ね合せ面２０ａ，２１ａの間に差込むと、小楕円孔３８に第三重ね合せ片２２の小突起３６が係合し、第三重ね合せ片２２が重ね合せ面２０ａ，２１ａからずれるのを抑制することができる。このように、包装体１の組立てに際して、第一重ね合せ片２０、第二重ね合せ片２１を重ねて第三重ね合せ片２２を重ね合せ面２０ａ，２１ａの間に差込むといった簡単な構成、且つ作業でもって、包装体１を容易に組立てることができる。
【００２４】
さらに、このような簡単な構成であっても、接着剤や粘着テープを必要とすることなく、且つた易く分解しない包装体１となる。さらに、消費者が容器Ｃを包装体１から取出そうとする際には、第三重ね合せ片２２を有する第三側壁片１２を押圧片３７の折り目１７部分のある反対側に捻るようにすれば、小楕円孔３８から小突起３６が外れ、この状態で第三重ね合せ片２２を重ね合せ面２０ａ，２１ａから引抜けば、組立て途中体１Ａの形状に戻るので大きな開放領域ができ、この開放領域から容易に容器Ｃを取出すことが可能となる。
【００２５】
包装体１は一枚のシート体２を折曲げることで組立てられるから、最も下方に位置する第二重ね合せ片２１も平面であり、第二重ね合せ片２１の上面に第三重ね合せ片２２、第一重ね合せ片２０が同心に重ねられているから、重ね合せ片どうしによる段差が発生しない。このため、例えば容器Ｃ内の商品情報を印刷したり、あるいは商品情報を印刷したシールを貼着したりする際に、これらの作業を確実に行うことができる。なお消費者は、包装体１の第一側壁片１０、第二側壁片１１、および第三側壁片１２の間の開放領域から容器Ｃ（あるいはその内容物）を確認することができる。
【００２６】
このように本発明の実施形態によれば、最も外側すなわち下方に位置する第二重ね合せ片２１に、第一重ね合せ片２０を同心となるよう重ねて押圧片３７を第一重ね合せ片２０に重ねて組立て途中体１Ａとし、容器Ｃを組立て途中体１Ａの開放側から装着して容器Ｃの底面で押圧片３７を押圧し、第三側壁片１２を押圧片３７を回避する方向に捻って第三重ね合せ片２２を既に重ね合されている第一重ね合せ片２０および第二重ね合せ片２１の重ね合せ面２０ａ，２１ａに差込むようにすることで、容器Ｃを組立て途中体１Ａに装着した状態で容易に包装体１を組立てることができる。なお、第一重ね合せ片２０、第三重ね合せ片２２の面積に比べて第二重ね合せ片２１の面積を大きくしているから、これら第一重ね合せ片２０、第二重ね合せ片２１、および第三重ね合せ片２２を同心に配置し底面視したとき第一重ね合せ片２０、第三重ね合せ片２２は第二重ね合せ片２１によって隠れることになり、外観的にも優れる。
【００２７】
予め定まっている容器Ｃの高さに応じて、各側壁片１０，１１，１２の中心軸線２５，２６，２７方向の長さや、用いるシート体２の厚みを設定することで、第三重ね合せ片２２を重ね合せ面２０ａ，２１ａの間に差込んだとき、その厚み分だけ第一重ね合せ片２０が上昇することになる。したがって、その上昇量によって容器Ｃが上壁部３と押圧片３７でもって押圧され、容器Ｃを包装体１にがたつきなく保持することが可能となる。
【００２８】
本発明は上記実施形態に限定されない。上記実施形態では六角錐台形状の包装体１について説明したが、例えば、本発明は図１０乃至図１２に示すような八角錐台形状の包装体５０としても適用できる。図１０は、この実施形態における包装体５０の全体斜視図、図１１は包装体５０を組立てるためのシート体５１の展開図、図１２は包装体５０の組立て途中を示す上方からの斜視図である。
【００２９】
この実施形態における包装体５０が上記実施形態と異なる主な点は、上壁部５２が略正八角形であること、側壁部５３が第一側壁片５５、第二側壁片５６、第三側壁片５７および第四側壁片５８の４つから構成されること、底壁部６０を構成する第一重ね合せ片６１、第二重ね合せ片６２、第三重ね合せ片６３、および第四重ね合せ片６４がそれぞれ略正八角形であることである。
【００３０】
さらに具体的に、第一側壁片５５、第二側壁片５６、第三側壁片５７および第四側壁片５８はそれぞれ、上壁部５２の一辺に、折れ目６５を介して一辺置きに連設されている。すなわち第一側壁片５５、第二側壁片５６、第三側壁片５７および第四側壁片５８の中心軸線７０，７１，７２，７３は周方向に９０°置きの位置にあり、第一側壁片５５と第二側壁片５６が同一軸線上にあり、第三側壁片５７と第四側壁片５８とが同一軸線上にある。したがって第一重ね合せ片６１と第二重ね合せ片６２とが同一軸線上にあり、第三重ね合せ片６３と第四重ね合せ片６４とが同一軸線上にある。第一重ね合せ片６１、第二重ね合せ片６２、第三重ね合せ片６３、および第四重ね合せ片６４は、それぞれ折れ目６６を介して第一側壁片５５、第二側壁片５６、第三側壁片５７、および第四側壁片５８にそれぞれ連設されている。
【００３１】
押圧片８０は、第三重ね合せ片６３の一辺（中心軸線７２上にある一辺に隣あう一辺）に折れ目６７を介してその一辺に直角な方向に延長するよう連設されている。したがって、押圧片８０の中心軸線７４は、第三側壁片５７の中心軸線７２に対してθ１（４５°）だけ傾斜している。折れ目６７上に小楕円孔８１が形成され、第一重ね合せ片６１、第二重ね合せ片６２、および第四重ね合せ片６４の一辺に、小楕円孔８１に係合する小突起８２，８３，８４が連設されている。また、第一重ね合せ片６１、第二重ね合せ片６２、第三重ね合せ片６３、および第四重ね合せ片６４の隅部には面取り（符号省略）が施されている。
【００３２】
図１１に示すシート体５１を用いて容器Ｃを装着しつつ包装体５０を組立てる手順を説明する。まず第一側壁片５５、第二側壁片５６を上壁部５２に折れ目６５を介して折曲げ、第一重ね合せ片６１、第二重ね合せ片６２を第一側壁片５５、第二側壁片５６に折れ目６６を介してそれぞれ折曲げて、第一重ね合せ片６１、第二重ね合せ片６２を重ねる。この場合、どちらの重ね合せ片６１，６２が上下に位置してもよい。次に、第三側壁片５７を上壁部５２に折れ目６５を介して折曲げ、さらに第三重ね合せ片６３を第三側壁片５７に折れ目６６を介して折曲げて、第一重ね合せ片６１、第二重ね合せ片６２の下方にある方のさらに下方、すなわち最も下方に重ねる。さらに、第一重ね合せ片６１、第二重ね合せ片６２および第三重ね合せ片６３を同心に重ねた状態で、押圧片８０を第一重ね合せ片６１、第二重ね合せ片６２のうち上方に位置する方のさらに上方に折れ目６７を介して折重ね、組立て途中体とする。
【００３３】
このようにした組立て途中体の開放側から容器Ｃを装着して容器Ｃの底面で押圧片８０を押圧し、図１２に示すように、第四側壁片５８を押圧片８０を回避する方向に捻って第四重ね合せ片６４を、既に重ね合されている第一重ね合せ片６１および第二重ね合せ片６２の重ね合せ面、あるいは第二重ね合せ片６２および第三重ね合せ片６３の重ね合せ面に差込むようにする。このように何れの重ね合せ面に差込んでもよいが、上記実施形態のように、例えば第一重ね合せ片６１の開放側の隅部の面取りの曲率を小さくし（図の三点鎖線で示す）て、第一重ね合せ片６１の面積を第二重ね合せ片６２の面積より小さくしておくことで、上記実施形態と同様に第一重ね合せ片６１、第二重ね合せ片６２の差込み側に段差が生じる。したがって、第四重ね合せ片６４を第一重ね合せ片６１、第二重ね合せ片６２の間に挿入しやすくなる。また、第四重ね合せ片６４の隅部の面取りの曲率を適宜に設定することで、これが折り目６６，６７に対する案内部となって第四重ね合せ片６４を差込みやすい。あるいは、第三重ね合せ片６３は押圧片８０を有しているので、容器Ｃを組立て途中体に装着したとしても押圧片８０の弾性でもって、第二重ね合せ片６２と第三重ね合せ片６３との間に隙間が生じることも考えられるから、この場合は第四重ね合せ片６４を第二重ね合せ片６２と第三重ね合せ片６３との間にも差込みやすいといえる。さらに、作業上問題なければ、場合によっては、押圧片８０と第一重ね合せ片６１との合せ面に差込むことも可能である。第四重ね合せ片６４を、既に重ね合されている重ね合せ片の重ね合せ面に差込んだ後は、作業者が第四側壁片５８を把持してこれをわずかに押圧片８０側にずらすようにする。そうすると、第四側壁片５８の捻り状態が復元され、第一重ね合せ片６１、第二重ね合せ片６２、第三重ね合せ片６３および第三重ね合せ片６４が同心に配置されるようになり、これら重ね合せ片による底壁部６０が形成され、小楕円孔８１に小突起８２，８３，８４係合し、また第四重ね合せ片６４の一辺が押圧片８０の折り目６７部分に係止することになるので、第四重ね合せ片６４が重ね合せ面から抜けにくくなって八角錐形状が保持できる。
【００３４】
このように、包装体５０を八角錐台形状に形成した場合でも、上記実施形態と同様に、組立てが容易であり、且つ接着剤や粘着テープ等を用いることなく八角錐形状を確保でき、容器Ｃを保持することができる。他の作用効果は上記実施形態と同様であるので、その説明を省略する。
【００３５】
なお、上記各実施形態では、重ね合せ片を底壁部を構成する部材として用いたが、場合によっては重ね合せ片を天壁部として構成することも可能である。さらに、上記実施形態では側壁片は折れ目部分の幅の異なる台形状に形成したが、これに限定されることなく、容器の形状に応じて変更することも可能である。例えば、側壁片は長方形（正方形を含む）であってもよい。この場合、包装体は３つ以上の側方開放部を有して天壁部と底壁部とが平面視して略同一の角柱形状となる。何れにしても、押圧片を有する重ね合せ片を最も外側に配置して、最も内側の重ね合せ片に押圧片を重ねるようにして容器を組立て途中体に装着し、既に重ね合されている重ね合せ片の重ね合せ面の間に、まだ重ね合せていない重ね合せ片を差込むようにすることで、包装体を組立てることができる。
【図面の簡単な説明】
【００３６】
【図１】本発明の実施形態を示す容器の包装体の単体斜視図。
【図２】同じく図１におけるＡ−Ａ線断面図。
【図３】同じく包装体の展開図。
【図４】同じく図３の展開図の第一側壁片および第二側壁片を折曲した状態の正面図。
【図５】同じく組立て途中の状態を示す上方からの単体斜視図。
【図６】同じく組立て途中を示す下方からの斜視図。
【図７】同じく組立て途中を示す底面図。
【図８】同じく組立て途中を示す底面図。
【図９】同じく組立て途中の状態を上下逆転させた方向からの斜視図示す下方からの斜視図。
【図１０】別の実施形態を示す容器の包装体の単体斜視図。
【図１１】同じく包装体の展開図。
【図１２】同じく包装体の組立て途中を示す上方からの斜視図。
【符号の説明】
【００３７】
１…包装体、２…シート体、３…上壁部、４…底壁部、６…側壁部、１０…第一側壁片、１１…第二側壁片、１２…第三側壁片、２０…第一重ね合せ片、２１…第二重ね合せ片、２２…第三重ね合せ片、３２…面取り、３７…押圧片、Ｃ…容器
【図１】
2006123962.tif 000003
【図２】
2006123962.tif 000004
【図３】
2006123962.tif 000005
【図４】
2006123962.tif 000006
【図５】
2006123962.tif 000007
【図６】
2006123962.tif 000008
【図７】
2006123962.tif 000009
【図８】
2006123962.tif 000010
【図９】
2006123962.tif 000011
【図１０】
2006123962.tif 000012
【図１１】
2006123962.tif 000013
【図１２】
2006123962.tif 000014